(57)【要約】【課題】連結材を付けた遊技球を使用しようとしても、簡便な構成として、その遊技球の操作を不能にできるパチンコ遊技機を提供すること。【解決手段】パチンコ遊技機は、球受け皿からの遊技球が、発射装置を経て遊技領域に発射され、さらに、入賞スイッチに到達可能に構成される。この遊技機では、遊技球が、可撓性を有した紐状の連結材Ｓを付けられた状態で、球受け皿を経て発射された際に、遊技球の移動のための連結材Ｓの操作を不能にできる。球受け皿４４から入賞スイッチまでの遊技球の通路であって、曲がった通路ＬＲの内側の通路面ＩＦ側には、連結材Ｓの移動を停止可能に連結材を挟持する挟持部位ＰＨ１が、配設される。挟持部位は、緊張状態の連結材を進入可能な開口幅の溝部９６を備える。溝部は、連結材Ｓを底部９７側に案内する案内部９８と、底部９７側に配置されて、進入する連結材を挟持可能な挟持本体部１００と、を備える。【選択図】図１３
2012070942.tif 000002
【特許請求の範囲】
【請求項１】
球受け皿からの遊技球が、発射装置を経て遊技領域に発射され、さらに、入賞スイッチに到達可能に構成されるパチンコ遊技機であって、
前記球受け皿から前記入賞スイッチまでの遊技球の通路であって、曲がった通路における内側の通路面側に、前記遊技球に連結された可撓性を有する紐状の連結材の移動を停止可能に前記連結材を挟持する挟持部位が、配設され、
該挟持部位が、緊張状態の前記連結材を進入可能な開口幅とした溝部を備えて構成され、
該溝部が、
開口端側に配置されて、緊張状態の前記連結材の進入時に、前記連結材を前記溝部の底部側に案内可能に、前記底部側にかけて開口幅を狭める案内部と、
前記溝部の底部側に配置されて、緊張状態の前記連結材の進入時に、前記連結材を挟持可能な挟持本体部と、
を備えて構成されていることを特徴とするパチンコ遊技機。
【請求項２】
前記挟持本体部が、前記連結材の外周面における略対向する部位を圧接する一対の圧接部を設けて構成され、
少なくとも一方の圧接部が、前記連結材の前記挟持本体部への進入時、付勢力を発揮して前記連結材に圧接されるように、構成されていることを特徴とする請求項１に記載のパチンコ遊技機。
【請求項３】
前記球受け皿から前記発射装置の発射レールに落下させるまでの遊技球の通路であって、曲がった通路の内側の通路面側に、前記挟持部位が、配設されていることを特徴とする請求項１若しくは請求項２に記載のパチンコ遊技機。
【請求項４】
外側レール部と内側レール部とを備えて構成されるレール部の前記内側レール部の上端側に、前記遊技領域側に打ち出された前記遊技球の前記レール部への戻りを防止可能な戻り防止片が、揺動可能に配設され、
前記戻り防止片の上縁側に、前記レール部から前記遊技領域側に向かう方向に貫通しつつ、下方に凹む前記溝部を形成されて、前記挟持部位が、配設されていることを特徴とする請求項１若しくは請求項２に記載のパチンコ遊技機。
【請求項５】
前記戻り防止片が、上縁側の揺動を確保した状態として、遊技盤面近傍の前記連結材を前記溝部内に導入可能に、後縁側を遊技盤面に埋め込むように、配設されていることを特徴とする請求項４に記載のパチンコ遊技機。
【請求項６】
外側レール部と内側レール部とを備えて構成されるレール部の前記内側レール部に、前記挟持部位が、配設されていることを特徴とする請求項１若しくは請求項２に記載のパチンコ遊技機。
【請求項７】
前記挟持部位を設けた部材が、着脱可能な交換部品としていることを特徴とする請求項１乃至請求項６のいずれか１項に記載のパチンコ遊技機。
【発明の詳細な説明】
【技術分野】
【０００１】
本発明は、遊技球が、可撓性を有した紐状の連結材を付けられた状態で、球受け皿を経て発射された際に、遊技球の移動のための連結材の操作を不能にできて、不正行為を防止できるパチンコ遊技機に関する。
【背景技術】
【０００２】
昨今、パチンコ遊技機において、不正に賞球を得る不正行為として、可撓性を有した細い（０．１〜０．３φ程度）釣り糸のような連結材を、遊技球に取り付け、その遊技球を発射装置から遊技領域に打ち出し、そして、普通入賞口等の入賞口の入賞スイッチの部位で、連結材を操作して、遊技球を往復移動させることにより、入賞スイッチを何回もオンさせて、不正に賞球を得る行為があった。
【０００３】
なお、連結材を遊技球に取り付けて行う不正行為としては、他に、連結材を把持した状態で、遊技球を計数機に投入し、連結材を操作して、遊技球を玉センサ部分で往復移動させることにより、計数値を多くするものがあった（例えば、特許文献１参照）。そして、従来、このような不正行為の対策としては、玉センサ部分での反転するような遊技球の異常な移動を、所定のレバースイッチで検知し、その不正行為を報知していた。
【０００４】
そこで、パチンコ遊技機において、遊技球に付けた連結材の操作による不正行為に対し、上記のレバースイッチ等を入賞スイッチ付近に設けて対処することが考えられる。
【先行技術文献】
【特許文献】
【０００５】
【特許文献１】特開平１０−８５４４１号公報（第５〜７頁、図１）
【発明の概要】
【発明が解決しようとする課題】
【０００６】
しかし、従来のパチンコ遊技機では、入賞口の数が多く、各入賞口に、反転する遊技球の移動をセンシングするレバースイッチ等を配置することは、レバースイッチ等に連結する電源線や信号線を含めて、設置スペースや部品点数の増加を招くことから、好ましくない。
【０００７】
本発明は、上述の課題を解決するものであり、連結材を付けた遊技球を使用しようとしても、簡便な構成として、その遊技球の操作を不能にできるパチンコ遊技機を提供することを目的とする。
【課題を解決するための手段】
【０００８】
本発明に係るパチンコ遊技機は、球受け皿からの遊技球が、発射装置を経て遊技領域に発射され、さらに、入賞スイッチに到達可能に構成されるパチンコ遊技機であって、
球受け皿から入賞スイッチまでの遊技球の通路であって、曲がった通路における内側の通路面側に、遊技球に連結された可撓性を有する紐状の連結材の移動を停止可能に連結材を挟持する挟持部位が、配設され、
挟持部位が、緊張状態の連結材を進入可能な開口幅とした溝部を備えて構成され、
溝部が、
開口端側に配置されて、緊張状態の連結材の進入時に、連結材を溝部の底部側に案内可能に、底部側にかけて開口幅を狭める案内部と、
溝部の底部側に配置されて、緊張状態の連結材の進入時に、連結材を挟持可能な挟持本体部と、
を備えて構成されていることを特徴とする。
【０００９】
本発明に係るパチンコ遊技機では、遊技球に連結された連結材が、緊張状態で、挟持部位を構成する溝部内に進入すれば、開口端側の案内部に案内されて、挟持本体部まで滑り、そして、挟持本体部に挟持され、連結材の移動が停止される。なお、連結材が、緊張状態となる場合は、例えば、球受け皿側に連結材の操作把持側を残した状態で、遊技球が落下する重量を連結材にかけた際や、遊技球が発射装置により発射されて連結材を牽引した際、あるいは、遊技球がパチンコ遊技機内に入り込んだ状態で、連結材の操作把持側を引っ張った際、等に、生じる。そして、そのような連結材の緊張状態では、挟持部位が、遊技球の曲がった通路における内側の通路面側に、配設されていると、連結材が、緊張状態となれば、案内部を経て、容易に、挟持本体部に進入し、そして、挟持本体部に挟持されて、連結材の移動が停止される。この連結材の移動停止は、連結材を引っ張る際の移動停止ばかりでなく、連結材を引っ張ることができるものの、連結材を繰り出しても、遊技球を転動させたり落下させることができないような、連結材の繰出移動の停止も含み、これらの移動停止では、ともに、連結材による遊技球の操作が不能となる。
【００１０】
そして、本発明に係るパチンコ遊技機では、連結材が、挟持部位の挟持本体部に対して、緊張状態として進入できるような、曲がった通路における内側の通路面側とする部位に、単に、挟持部位を、配設するだけで、容易に、連結材の移動を停止させることができ、簡便な構成で、遊技球の操作を不能にできて、不正行為を防止できる。
【００１１】
そして、本発明に係るパチンコ遊技機では、挟持本体部を、連結材の外周面における略対向する部位を圧接する一対の圧接部を設けて構成し、
少なくとも一方の圧接部を、連結材の挟持本体部への進入時、付勢力を発揮して連結材に圧接されるように、構成することが望ましい。
【００１２】
このような構成では、緊張状態の連結材が挟持本体部に進入する際、付勢力に抗して、一対の圧接部間に進入する。そして、遊技球を操作しようと、連結材を引っ張れば、連結材が緊張状態となり、さらに、付勢力に抗して、一対の圧接部間に、連結材の外周面の全域が十分に進入し、連結材が強く挟持される事態を招く。その結果、連結材を繰り出そうとしても、連結材が挟持本体部で強く挟持されて、繰出不能となり、遊技球の操作を不能にすることができる。勿論、このような構成では、遊技球が発射装置により発射されて連結材を牽引している際、連結材が、挟持本体部に強く挟持されて、連結材の繰出移動が停止される場合もある。
【００１３】
なお、付勢力を発揮して連結材を押圧する圧接部は、圧接部自体を弾性変形するゴムや合成樹脂、あるいは、ばね鋼等の金属から形成したり、あるいは、別途、ばねやゴム等の付勢手段に保持させるように構成してもよい。
【００１４】
また、連結材自体の弾性変形を利用して、挟持本体部において連結材を挟持する場合には、連結材を挟持する一対の圧接部を、底部側の開口幅を、究極的に、零として無くすように、減少させる構成として、緊張状態の連結材を、一対の圧接部間の狭い開口に、嵌合させて、連結材の軸方向に沿う移動を、停止させるように構成してもよい。
【００１５】
さらに、本発明に係るパチンコ遊技機では、球受け皿から発射装置の発射レールに落下させるまでの遊技球の通路であって、曲がった通路の内側の通路面側に、挟持部位を、配設してもよい。このような構成では、遊技球がレール部や遊技領域に至るまで、すなわち、連結材を付けた遊技球が、球受け皿からパチンコ遊技機内に入り込んで、目視できないエリア、に配置されている際、連結材を挟持できることから、不正行為者が連結材の移動を停止される原因や理由を把握し難く、そのため、不正行為者の不正行為を繰り返す意欲を、効果的に削ぐことができる。
【００１６】
また、パチンコ遊技機において、外側レール部と内側レール部とを備えて構成されるレール部の内側レール部の上端側に、遊技領域側に打ち出された遊技球のレール部への戻りを防止可能な戻り防止片が、揺動可能に配設される場合には、戻り防止片の上縁側に、レール部から遊技領域側に向かう方向に貫通しつつ、下方に凹む溝部を形成して、挟持部位を、配設してもよい。
【００１７】
このような構成では、内側レール部の上端側に設けられる戻り防止片は、遊技領域の最上位置付近に配置されることから、遊技領域内に打ち出された遊技球は、戻り防止片から下方の位置に落下する状態となり、戻り防止片の上縁側が、遊技球の曲がった通路における内側の通路面側となる。そして、戻り防止片の上縁には、遊技球の重量や落下運動する遊技球の慣性力が加わって、連結材が引っ掛かり易い。そのため、連結材が、下方に引っ張られて、戻り防止片の上縁側に設けた挟持部位の溝部に入り、そして、案内部に案内されて挟持本体部に進入して、円滑に、挟持本体部に挟持されて、移動を停止される。すなわち、上記の構成では、遊技球を操作しようと、球受け皿側の連結材の操作把持部を引っ張る前に、連結材の移動停止を図ることができる。勿論、遊技球が遊技領域に打ち出されて落下した直後に、連結材が強く挟持されなくとも、その後の連結材の引っ張り操作時には、連結材が十分に挟持本体部内に進入して強く挟持されるため、その後の連結材の繰出操作を、不能にできる。
【００１８】
この場合、戻り防止片は、上縁側の揺動を確保した状態として、遊技盤面近傍の連結材を溝部内に導入可能に、後縁側を遊技盤面に埋め込むように、配設することが望ましい。このような構成では、遊技盤面と戻り防止片との間に、連結材が嵌ること無く、円滑に、連結材を、挟持部位の溝部内に導入させ、そして、挟持本体部によって、挟持できる。
【００１９】
さらに、挟持部位は、外側レール部と内側レール部とを備えて構成されるレール部の内側レール部に、配設してもよい。内側レール部は、遊技領域を囲むように、外膨らみの曲線状に形成されており、遊技球の曲がった通路における内側の通路面側を構成することとなる。そして、遊技球が、発射装置から発射され、レール部を経て、遊技領域に打ち出されようとすれば、遊技球に連なる連結材は、内側レール部の外周側の全面に接触するように、牽引されることから、挟持部位の溝部内に入り込んで、円滑に、挟持本体部に挟持されることとなる。
【００２０】
そして、本発明に係るパチンコ遊技機では、挟持部位を設けた部材を、着脱可能な交換部品とすれば、既存のパチンコ遊技機において、交換して、挟持部位を設けた部品を取り付けることができて、容易に、連結材を付けた遊技球による不正行為対策を図ることができる。このような交換部品としては、球受け皿から発射装置に遊技球を送る球送り装置や、戻り防止片、等が例示できる。
【００２１】
勿論、上記のような交換部品としなくとも、別途、挟持部位を設けた部材、あるいは、挟持部位自体を、パチンコ遊技機に設けるようにしてもよく、その場合には、発射装置に至るまでの部位やレール部の部位ばかりでなく、入賞口における入賞スイッチの直前部位や、大当り遊技中に右打ちする場合のセンター役物の右上部付近等に、切断部位を配設することができる。
【発明の効果】
【００２２】
したがって、本発明に係るパチンコ遊技機では、連結材を付けた遊技球を使用しようとしても、簡便な構成として、その遊技球の操作を不能にできる。
【図面の簡単な説明】
【００２３】
【図１】本発明に係る第１実施形態のパチンコ遊技機の概略正面図である。
【図２】第１実施形態のパチンコ遊技機における本体枠に対して、前面枠を開けた状態を示す概略部分斜視図であり、遊技盤を省略している。
【図３】図２に示す状態から、球送り装置を外した状態を示す概略部分斜視図である。
【図４】図３に示す状態の本体枠側の発射装置に対し、球送り装置を配置させた状態と、球送り装置を外した状態と、を示す概略斜視図である。
【図５】第１実施形態のパチンコ遊技機の本体枠側を示す概略正面図である。
【図６】第１実施形態の球送り装置を示す概略背面図である。
【図７】第１実施形態の球送り装置の概略分解斜視図である。
【図８】第１実施形態の球送り装置に挟持部位を配設するための挟持用部品の左側面図である。
【図９】第１実施形態の球送り装置に使用される挟持用部品の斜め左後方向から見た部分断面背面図である。
【図１０】第１実施形態の球送り装置に使用される挟持用部品の斜め左前方向から見た正面図である。
【図１１】連結材を付けた遊技球が第１実施形態の球送り装置を通過する状態を、順に示す概略斜視図である。
【図１２】連結材を付けた遊技球が第１実施形態の球送り装置を通過する状態を、順に示す概略斜視図であり、図１１の後の状態を示す。
【図１３】連結材を付けた遊技球が第１実施形態の球送り装置を通過する状態を、順に示す概略拡大平面図である。
【図１４】連結材を付けた遊技球が発射装置から発射された状態を、第１実施形態の球送り装置の背面側から示した概略図である。
【図１５】第１実施形態の球送り装置の変形例の使用時において、連結材を付けた遊技球が発射装置から発射された状態の二態様をそれぞれ示す概略平面図である。
【図１６】第１実施形態の球送り装置の変形例の使用時において、連結材を付けた遊技球が発射装置から発射された状態を示す概略背面図である。
【図１７】第１実施形態の球送り装置の変形例の使用時において、連結材を付けた遊技球が発射装置から発射された他の状態を示す概略背面図である。
【図１８】第２実施形態の挟持部位を設けた戻り防止片の概略斜視図である。
【図１９】第２実施形態の挟持部位を設けた戻り防止片の左側面図である。
【図２０】第２実施形態の挟持部位を設けた戻り防止片の平面図である。
【図２１】第２実施形態の挟持部位における挟持本体部を形成する工程を説明する図である。
【図２２】第２実施形態の挟持部位を設けた戻り防止片の縦断面図である。
【図２３】第２実施形態の戻り防止片の作動時を順に示す概略部分断面正面図である。
【図２４】第２実施形態の変形例の戻り防止片の概略正面図である。
【図２５】図２４のXXV−XXV部位の概略部分断面図である。
【図２６】図２４に示した戻り防止片の作動時を順に示す概略部分断面正面図である。
【図２７】第３実施形態の挟持部位を設けたレール部を示す概略正面図である。
【図２８】第３実施形態のレール部に挟持部位を設けるための挟持用部品の斜視図である。
【図２９】第３実施形態の挟持部位を設けた挟持用部品の平面図である。
【図３０】第３実施形態の挟持部位を設けた挟持用部品の左側面図である。
【図３１】第３実施形態の挟持用部品を使用して挟持する状態を説明する概略図である。
【図３２】第４実施形態の挟持用部品を設けたレール部を示す概略正面図である。
【図３３】第４実施形態の挟持部位を設けたレール部の部分斜視図である。
【図３４】第４実施形態の挟持用部品を使用して連結材を挟持する状態を説明する概略横断面図であり、図３３のXXXIV−XXXIV部位に対応する。
【図３５】第４実施形態の挟持用部品の作動時の状態を示す正面図である。
【図３６】第４実施形態の変形例の挟持用部品を使用して連結材を挟持する状態を説明する概略横断面図である。
【発明を実施するための形態】
【００２４】
＜第１実施形態＞
以下、本発明の一実施形態を図面に基づいて説明すると、第１実施形態のパチンコ遊技機１は、図１，２に示すように、本体枠２と、本体枠２にヒンジ結合されて開閉可能な前面枠３と、を備えて構成されている。本体枠２は、外枠（機枠）２ａと、外枠２ａにヒンジ結合されて開閉可能とし、遊技盤５を設けてなる中枠（内枠）２ｂと、を備えて構成されている。前面枠３は、遊技盤５の前方側に配置される透明なガラス部４１と、ガラス部４１の下方に配置されて、球受け皿４４を設けた皿ユニット部４３と、を備えて構成されている。皿ユニット部４３には、遊技球を遊技盤５の遊技領域１２に打ち出すために操作するハンドル４８や皿球抜きボタン４９、通路球抜きボタン５０、演出ボタン５１が配設されている。
【００２５】
遊技盤５の外縁側には、外側レール部９と内側レール部１０とを有してなるレール部８が配設され、レール部８の内側の遊技領域１２には、中央に配置された画像表示装置１５を設けてなるセンター役物１４や、その周囲に配置される図示しない釘、風車１７、普通入賞口１８、賞球の無い入賞口（ゲート）１９、第１始動口２０、第２始動口（電動チューリップ）２１、大入賞口（アタッカー）２２、アウト口２３等の公知の部材が、配設されている。
【００２６】
このパチンコ遊技機１では、ハンドル４８を操作すれば、皿ユニット部４３の内部に設けられた球送り装置６０の後述する送り部材７０（図７参照）と、遊技盤５の下方に配置された発射装置３０の発射杆３２（図５，６参照）と、が連動するように作動されて、球受け皿４４上の遊技球が、球送り装置６０の送り部材７０によって、１球ずつ、発射装置３０の後述する発射レール３５上に送られ、ついで、発射装置３０の発射杆３２が、発射レール３５上の遊技球を、叩いて発射させることから、遊技球が、発射装置３０から、レール部８を経て、遊技領域１２に打ち出されることとなる。
【００２７】
そして、遊技領域１２に打ち出された遊技球は、普通入賞口１８、ゲート１９、第１始動口２０、第２始動口２１、大入賞口２２、アウト口２３のいずれかに入球する。この時、遊技球が、普通入賞口１８、第１始動口２０、開放時の第２始動口２１や大入賞口２２に入賞すれば、所定数の遊技球が球受け皿４４上に払い出され、ゲート１９を通過すれば、抽選により第２始動口２１を所定時間若しくは所定回数開放させることとなる。また、遊技球が、第１始動口２０や開放時の第２始動口２１に入賞すれば、抽選により、大当たり、中当たり、小当たり等の当たりや外れが決定され、当たりとなれば、大入賞口２２を、その当たりに応じて開放時間、開放回数、入賞個数等を制限して、開放することとなる。これらの作動や遊技フローは、公知のものであり、遊技盤５の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ２７やスピーカ２８等を作動させつつ、所定の演出を画像表示装置１５に表示することとなる。
【００２８】
このようなパチンコ遊技機１に対し、不正行為者は、可撓性を有した０．１〜０．３φ程度の細い釣り糸のような連結材Ｓを付けた遊技球Ｂを、通常の遊技球と同様に、球受け皿４４から、ハンドル４８を操作し、球送り装置６０を経て、発射装置３０に送り、発射装置３０から遊技領域１２へ打ち出す。その際、連結材Ｓの元部端側は、球受け皿４４側に残しておく。そして、不正行為者は、その連結材Ｓの元部側を引張ったり繰出したりして、遊技球Ｂを操作し、遊技球Ｂを、賞球のある既述の入賞口１８，２０，２１，２２に入球させ、それらの入賞スイッチ（球検知スイッチ）２５の部位で、連結材Ｓを操作して、遊技球Ｂを往復移動させることにより、入賞スイッチ２５を何回もオンさせて、賞球を得ようと、不正を働くこととなる。
【００２９】
発射装置３０について説明すると、発射装置３０は、図４〜６に示すように、前方側をカバー３３に覆われた発射杆３２と、発射通路３４と、を備えて構成されている。発射杆３２は、揺動中心部３２ａから放射状に延びる打球部３２ｂとアーム部３２ｃとを備え、揺動中心部３２ａが図示しないロータリソレノイドの通電によって回動されれば、発射杆３２が、正面視で、打撃位置ＢＰまで時計回り方向に回転し、発射通路３４の発射レール３５上にある遊技球Ｂを打球部３２ｂによって叩き、ついで、ロータリソレノイドの通電停止により、発射杆３２が、図示しない磁石の吸着力と自重とにより、反時計回り方向に回転して、原位置ＦＰに復帰することとなる。なお、アーム部３２ｃは、発射杆３２の打撃位置ＢＰと復帰位置（原位置）ＦＰとへの配置を的確に行えるように、図示しない所定のストッパに当接して、発射杆３２を一定位置に配置できるように、構成されるとともに、所定位置に配置される磁石に対応して、発射杆３２の復帰時に吸着される部位、として形成されている。
【００３０】
発射通路３４は、板金製として上面側をＶ字状に凹ませた発射レール３５と、その周囲の下ガイドレール３６及び上ガイドレール３７と、を備えて構成され、さらに、後面側を、発射装置３０のベース板３１に囲われ、前面側を、前面枠３側の球送り装置６０等の部材に囲われて、構成されている。
【００３１】
そのため、発射レール３５上で打球部３２ｂに叩かれた遊技球Ｂは、図５に示すように、発射通路３４を上昇し、中枠２ｂに設けられた転動路２ｃ等を経て、レール部８側に発射され、そして、レール部８を経て、遊技領域１２に打ち出される。
【００３２】
なお、レール部８の下方には、図２，５に示すように、前面枠３側に設けられた球案内樋部５３が配設されている。この球案内樋部５３は、発射装置３０によって発射された遊技球Ｂが遊技領域１２に打ち出されずにレール部８内を戻ってくる遊技球Ｂを、球受け皿４４側に戻す戻し通路５４を備えて構成され、外側レール部９の下端９ａの下方に、戻し通路５４の流入口５４ａを開口させている。さらに、球案内樋部５３には、戻し通路５４の後方側に配置されて、賞球や貸し出しで払い出される遊技球を、球受け皿４４側に転動させる払出側通路５５も、配設されている。図２に示す符号５５ａの部位は、払出側通路５５の流入口である。さらに、図２に示す符号５６は、発射通路３４を上昇する遊技球を転動させる転動路５６である。
【００３３】
そして、このパチンコ遊技機１では、図６〜１０に示すように、球送り装置６０に、第１実施形態の挟持部位ＰＨ１を設けている。
【００３４】
球送り装置６０は、図２〜４に示すように、球受け皿４４の遊技球Ｂの転動路４５（図１参照）における終端（下端）の排出口４６に連なるように、配設されている。なお、排出口４６は、図３に示すように、前面枠３の後面に開口されており、その下縁側には、通路球抜きボタン５０の操作により、スライドして、球送り装置６０側ではなく、球受け皿４４から下方に遊技球を排出するように開口するシャッタ４７（図１３参照）が、配設されている。
【００３５】
球送り装置６０は、図７に示すように、ケース６１、ソレノイド６４、揺動プレート６５、送り部材７０、ガイドレール部材７７、及び、挟持用部品９０、を備えて構成され、ケース６１は、相互に締結される前カバー６２と後カバー６３とを備えて構成されている。実施形態の場合、ケース６１や挟持用部品９０以外のソレノイド６４等の部品は、前カバー６２と後カバー６３との少なくとも一方に組み付けられたり、あるいは、前カバー６２と後カバー６３との両者の締結時に、位置決めされるように、ケース６１に組み付けられている。
【００３６】
ソレノイド６４は、コ字形の支持プレート６６に保持されて、通電時、揺動プレート６５を吸着する。揺動プレート６５は、上端を、支持プレート６６に締結される引張りコイルばね６７と連結させ、上下方向の中間の支持部６５ａを支持プレート６６の係止片６６ａ，６６ａに支持させている。そのため、揺動プレート６５は、支持部６５ａを揺動中心として、ソレノイド６４の通電により、先端部６５ｂをソレノイド６４側に接近させ、ソレノイド６４の通電停止により、コイルばね６７の付勢力により、先端部６５ｂをソレノイド６４から離すように、揺動する。
【００３７】
送り部材７０は、図７，１３に示すように、平面視としてＵ字状として、「Ｕ」の字の底部７１に軸支部７１ａを配置させ、軸支部７１ａに、後カバー６３に上下両端を支持される支持ピン６８を挿通させることにより、支持ピン６８を中心に、左右方向に揺動可能に配設されている。そして、送り部材７０は、底部７１の上面に、湾曲した半割り円筒状の突起７４，７５を突設させ、突起７４，７５間に、揺動プレート６５の先端部６５ｂを嵌め込んでいる。そのため、ソレノイド６４の通電と通電停止とにより、揺動プレート６５が左右に揺動すれば、送り部材７０は、支持ピン６８を中心として、左右に揺動する。
【００３８】
また、送り部材７０は、底部７１から左右両側の前方に延びる二つの規制杆部７２，７３を備え、規制杆部７２，７３の間に、１個分の遊技球Ｂを収納できる凹部７０ａを形成している。規制杆部７２は、ソレノイド６４の非通電時における揺動プレート６５がソレノイド６４から離れた位置に配置されている際、球受け皿４４側の排出口４６の後方を塞ぐ位置に、前面の受止面７２ａを配置させて、球受け皿４４側の排出口４６に位置する遊技球Ｂの球送り装置６０側への流入を阻止している。そして、ソレノイド６４の通電に伴って、揺動プレート６５がソレノイド６４に接近する方向に揺動すれば、規制杆部７２が、右方に回転し、受止面７２ａを排出口４６から右方にずらすため、排出口４６に配置されていた遊技球Ｂが凹部７０ａ内に進入する。ついで、ソレノイド６４への通電停止により、コイルばね６７の付勢力が作用して、揺動プレート６５がソレノイド６４から離れれば、規制杆部７２が、排出口４６を塞ぐように復帰する。そしてその際、規制杆部７３は、下方側に延びるような厚さ寸法を小さくした板状として、かつ、その下方のガイドレール部材７７の転動路７９の底壁８０が、左下がりに傾斜しているため、凹部７０ａ内に収納していた遊技球Ｂは、規制杆部７３の下方を潜り抜けるように、左下がりの転動路７９の底壁８０上を、左方に転動していくこととなる。そのため、ソレノイド６４の１サイクル分の通電・通電停止により、送り部材７０が１回分左右に揺動し、排出口４６を経てガイドレール部材７７の流入口７８側に流入しようと待機していた遊技球Ｂが、１個ずつ、転動路７９を経て、そして、転動路７９の終端の流下口８２を経て、発射装置３０に送られることとなる。
【００３９】
ガイドレール部材７７は、図６，７，１１〜１４に示すように、排出口４６に連通するように、排出口４６の後方に遊技球Ｂの流入口７８を配置させ、そして、流入口７８から遊技球Ｂを転動させるように転動路７９を配設させている。転動路７９の終端は、遊技球Ｂを落下させる流下口８２としており、流下口８２は、発射装置３０の発射レール３５の上面に遊技球を落下可能な位置に配置されている。
【００４０】
転動路７９は、流入口７８から左方に傾斜して下がり、さらに、斜め右後方側に反転するように、曲がりながら下がって、流下口８２に向かうように配設されている。この転動路７９は、底壁８０と、転動路７９の曲がる外周側に配置される側壁８１と、を備えて構成されている。
【００４１】
そして、第１実施形態では、転動路７９の右後方に反転するような反転部（曲がり部）７９ａにおける内側の通路面ＩＦ側に、すなわち、遊技球Ｂの曲がった通路ＬＲにおける内側の通路面ＩＦ側に、挟持用部品９０を配設させている。この挟持用部品９０は、図７〜１３に示すように、ポリプロピレン等の合成樹脂から形成されており、底壁８０に固定する三角板状の取付座９１と、ガイド壁９２と、柱状部９３と、を備えて構成されている。取付座９１には、挟持用部品９０を底壁８０に取り付けるための取付孔９１ａと、底壁８０の位置決め孔８５に嵌合される位置決め突起９１ｂと、が配設されている。なお、挟持用部品９０を取り付ける際には、ねじ８７が使用され、底壁８０側には、ねじ８７を螺着させる取付孔８４が形成されている。
【００４２】
ガイド壁９２は、取付座９１の前縁側から上方に延びるように配設されて、送り部材７０の規制杆部７３の下方を潜り抜ける遊技球Ｂを、底壁８０上で左方に転動させるように案内する。
【００４３】
柱状部９３は、ガイド壁９２の左端で三角柱状に、取付座９１から上方に延びるように形成されている。そして、柱状部９３の通路面ＩＦ側におけるコーナ部９４には、上下に３つの溝部９６（９６Ａ，９６Ｂ，９６Ｃ）が形成されている。
【００４４】
なお、この挟持用部品９０は、各溝部９６に、後述するように、案内部９８と、一対の圧接部１０１，１０２からなる挟持本体部１００と、を配設させており、そのため、三つの挟持部位ＰＨ１を設けて構成されている。
【００４５】
各溝部９６は、遊技球Ｂの底壁８０上を転動する移動方向に沿って、換言すれば、底壁８０に沿って、前側から後下がりに延びるように、形成され、そして、それぞれ、開口端側の案内部９８と、底部９７側の挟持本体部１００と、を備えて構成されている。各溝部９６の形成される方向は、曲がった通路ＬＲを通る遊技球Ｂの移動方向に沿って形成されており、連結材Ｓを付けた遊技球Ｂが、遊技球Ｂの転動する上流側の流入口７８から、コーナ部９４（反転部７９ａ）を回るように底壁８０上を転動して、下流側の流下口８２に到達すれば、連結材Ｓは、流入口７８から流下口８２まで連なるように延びて、結果的に、連結材Ｓが遊技球Ｂの転動する移動方向と一致して延びる状態となる。そのため、緊張状態となる連結材Ｓは、溝部９６に沿った状態で直線状となって、溝部９６内の全域に進入し易くなる。
【００４６】
そして、案内部９８は、溝部９６の底部９７から離れた開口端側（開口９６ａの端部側であり、実施形態では、左端側）に配置されて、緊張状態の連結材Ｓの進入時に、連結材Ｓを底部９７側に案内可能に、底部９７側にかけて、上下方向に沿った開口幅を狭めるように、構成されている。すなわち、実施形態の場合、案内部９８の上下で対向する案内面９８ａ，９８ｂが、溝部９６の開口９６ａ側から底部９７側にかけて、相互に接近するように形成されている。
【００４７】
挟持本体部１００は、溝部９６の底部９７側に配置されて、緊張状態の連結材Ｓの進入時に、連結材Ｓを挟持可能に構成されている。実施形態の場合、各挟持本体部１００は、連結材Ｓの外周面ＳＡおける略対向する対向部位ＣＰ１，ＣＰ２を圧接する一対の圧接部１０１，１０２を設けて構成されている（図９のＢ参照）。圧接部１０１は、挟持用部品９０を形成する材料、実施形態では、ポリプロピレン等の合成樹脂自体から形成されて、そして、底部９７において、上下方向に開口幅を広げた副溝部９９が配設され、その副溝部９９の案内部９８側の対向面９９ａから構成されている。一方、圧接部１０２は、撓み可能な弾性体１０４から構成されている。
【００４８】
弾性体１０４は、横断面をＣ字形状として（図１０参照）、各溝部９６の底部９７と交差するように、上下方向に沿って貫通する組付孔９５に、嵌合されている。この弾性体１０４は、ゴムや板金等の復元可能に変形するものであり、弾性体１０４の左縁１０４ａ側の先端の弾性片部１０５のリップ部１０５ａを、圧接部１０１側に押圧させて、圧接部１０２を構成している。すなわち、実施形態の場合、圧接部１０２は、付勢手段自体を構成する弾性体１０４自体から構成されている。
【００４９】
なお、実施形態の場合、上部側の二つの溝部９６Ａ，９６Ｂは、下方側に延びる副溝部９９を一つだけ配設させて、下端の溝部９６Ｃは、上下両側に延びるように、副溝部９９を配設させている。
【００５０】
また、実施形態の場合、弾性体１０４は、先端側の弾性片部１０５を、各溝部９６の形成方向と略直交方向で交差する方向、換言すれば、曲がった通路ＬＲの通路面ＩＦを転動する遊技球Ｂの移動方向と略直交するように、実施形態では、上下方向に沿うように配置させ、さらに、底部９７から開口９６ａ側に向けるように、コーナ部９４の曲率中心側からコーナ部９４の頂部９４ａに向かって、配置させて、副溝部９９の対向面９９ａからなる圧接部１０１に、湾曲させつつ圧接させている。なお、実施形態における弾性片部１０５の湾曲させた先端のリップ部１０５ａは、湾曲する方向を、挟持する連結材Ｓの部位から遊技球Ｂに連なる方向、図例の場合には、後方としている。
【００５１】
さらに、これらの圧接部１０１，１０２（弾性片部１０５）の配置位置は、各溝部９６の開口９６ａの周縁が、遊技球Ｂを受け止めるカバー部１０７となって、各溝部９６の開口９６ａの周縁に遊技球Ｂが当たっても、圧接部１０１，１０２（弾性片部１０５）に遊技球Ｂが接触しない位置としている。すなわち、実施形態の場合、撓み易い弾性片部１０５が、カバー部１０７に覆われるように、溝部９６の形成方向に沿った方向における中間位置で、すなわち、溝部９６の前方側から斜め右下後方向に延びる方向に沿った溝部９６の中間位置で、底部９７側からコーナ部９４の頂部９４ａ側へ向かうように、配置されている。
【００５２】
この第１実施形態の挟持部位ＰＨ１を設けた球送り装置６０では、不正行為者が、ハンドル４８を操作して、連結材Ｓを付けた遊技球Ｂを、球受け皿４４の転動路４５と排出口４６と経て、球送り装置６０に流入させ、さらに、発射装置３０から、レール部８を経て、遊技領域１２に打ち出そうとする際、その球送り装置６０の部位では、図１１〜１３に示すような挙動となる。
【００５３】
すなわち、連結材Ｓを付けた遊技球Ｂが、送り部材７０の左右の揺動により、排出口４６から流入口７８を経て、ガイドレール部材７７の転動路７９に流入して、規制杆部７３の下方を潜り抜けて、挟持用部品９０付近に到達する（図１１のＡ〜Ｃ、図１３のＡの二点鎖線参照）。その後、遊技球Ｂは、さらに転動して、反転部７９ａを通過して、流下口８２から発射装置３０の発射レール３５上に流下しようとする（図１２のＡ，Ｂ、図１３のＢの実線参照）。
【００５４】
その際、遊技球Ｂに連結された連結材Ｓが、緊張状態で、挟持部位ＰＨ１を構成しているいずれかの溝部９６内に進入すれば、開口端側の案内部９８の案内面９８ａ，９９ａに案内されて、挟持本体部１００まで滑り、そして、図９のＣや図１０のＡ，Ｂに示すように、挟持本体部１００の圧接部１０１，１０２に挟まれるように挟持され、連結材Ｓの移動が停止される。
【００５５】
なお、連結材Ｓが、緊張状態となる場合は、例えば、球受け皿４４側に連結材の操作把持側を残した状態で、遊技球Ｂが落下する重量を連結材Ｓにかけた際や、遊技球Ｂが発射装置３０により発射されて連結材Ｓを牽引した際、あるいは、遊技球Ｂがパチンコ遊技機１内に入り込んだ状態で、連結材Ｓの操作把持側を引っ張った際、等に、生じる。そして、そのような連結材Ｓの緊張状態では、挟持部位ＰＨ１が、遊技球Ｂの曲がった通路ＬＲにおける内側の通路面ＩＦ側に、配設されており、連結材Ｓが、緊張状態となれば、案内部９８を経て、容易に、挟持本体部１００に進入し、そして、挟持本体部１００に挟持されて、連結材Ｓの移動が停止される。この連結材Ｓの移動停止は、連結材Ｓを引っ張る際の移動停止ばかりでなく、連結材Ｓを引っ張ることができるものの、連結材Ｓを繰り出しても、遊技球Ｂを転動させたり落下させることができないような、連結材Ｓの繰出移動の停止も含み、これらの移動停止では、ともに、連結材Ｓによる遊技球Ｂの操作が不能となる。
【００５６】
そして、このパチンコ遊技機１では、連結材Ｓが、挟持部位ＰＨ１の挟持本体部１００に対して、緊張状態として進入できるような、曲がった通路ＬＲの内側の通路面ＩＦ側の部位に、単に、挟持部位ＰＨ１を、配設するだけで、容易に、連結材Ｓの移動を停止させることができて、簡便な構成で、遊技球Ｂの操作を不能にできて、不正行為を防止できる。
【００５７】
したがって、第１実施形態の球送り装置６０を備えたパチンコ遊技機１では、連結材Ｓを付けた遊技球Ｂを使用しようとしても、簡便な構成として、その遊技球Ｂの操作を不能にできる。
【００５８】
そして、第１実施形態では、挟持本体部１００が、連結材Ｓの外周面ＳＡにおける略対向する対向部位ＣＰ１，ＣＯ２を圧接する一対の圧接部１０１，１０２を設けて構成されている。そして、一方の圧接部１０２が、連結材Ｓの挟持本体部１００への進入時、復元時の付勢力を発揮して連結材Ｓに圧接されるように、弾性体１０４から構成されている。
【００５９】
そのため、第１実施形態では、緊張状態の連結材Ｓが挟持本体部１００に進入する際、図９のＣや図１０のＢに示すように、連結材Ｓが、付勢力に抗して、圧接部１０２のリップ部１０５ａを撓ませつつ、一対の圧接部１０１，１０２間に進入する。そして、遊技球Ｂを操作しようと、連結材Ｓを引っ張れば、連結材Ｓが緊張状態となり、さらに、付勢力に抗して、一対の圧接部１０１，１０２間に連結材Ｓの外周面ＳＡの全域が十分に深く進入し、連結材Ｓが強く挟持される事態を招く。その結果、連結材Ｓを繰り出そうとしても、連結材Ｓが挟持本体部１００で強く挟持されて、繰出不能となり、遊技球Ｂの操作を不能にすることができる。勿論、このような構成では、遊技球Ｂが発射装置３０により発射されて連結材Ｓを牽引している際、連結材Ｓが、挟持本体部１００の一対の圧接部１０１，１０２に強く挟持されて、連結材Ｓの繰出移動が停止される場合もある。
【００６０】
また、第１実施形態では、別途、ばねやゴム等の付勢手段を設けて、連結材Ｓに接触する圧接部１０２を、連結材Ｓ側に圧接させている構成でなく、圧接部１０２自体を弾性体１０４から形成していることから、別途、付勢手段を設ける場合に比べて、簡便な構成とすることができる。
【００６１】
さらに、第１実施形態では、圧接部１０２を、連結材Ｓの延びる方向に沿って湾曲しつつ、連結材Ｓに押圧される薄肉のリップ部１０５ａを設けた弾性体１０４から、形成している。このようなリップ部１０５ａでは、圧接部１０１，１０２によって連結材Ｓを挟持した状態で、リップ部１０５ａを反転させる方向（実施形態の場合には、球受け皿４４側に引っ張る方向）に、連結材Ｓを移動させようとしても、リップ部１０５ａが反転せず、圧接部１０１，１０２の挟持力に加えて、リップ部１０５ａの反転規制により、一層、強く、連結材Ｓの移動を停止させることができる。
【００６２】
なお、第１実施形態では、リップ部１０５ａの曲げる方向を、連結材Ｓから遊技球Ｂ側に連なる方向と一致させるように、構成したが、リップ部１０５ａの曲げる方向は、逆に、連結材Ｓから球受け皿４４側に連なる方向に、向けてもよい。この場合には、リップ部１０５ａの反転が不能であれば、連結材Ｓが遊技球Ｂの遊技領域１２側への打ち出し方向に沿った連結材Ｓの移動に、リップ部１０５ａが対抗するため、遊技球Ｂの遊技領域１２側への打ち出し時の移動に伴う連結材Ｓの繰出移動を、好適に、停止させることが可能となる。
【００６３】
また、第１実施形態では、球受け皿４４から発射装置３０の発射レール３５に落下させるまでの遊技球Ｂの通路、すなわち、球送り装置６０の転動路７９であって、曲がった通路ＬＲの内側の通路面ＩＦ側に、挟持部位ＰＨ１を、配設している。そのため、第１実施形態では、遊技球Ｂがレール部８や遊技領域１２に至るまで、すなわち、連結材Ｓを付けた遊技球Ｂが、球受け皿４４からパチンコ遊技機１内に入り込んで、目視できないエリア、に配置されている際、連結材Ｓを挟持できることから、不正行為者が連結材Ｓの移動を停止される原因や理由を把握し難く、そのため、不正行為者の不正行為を繰り返す意欲を、効果的に削ぐことができる。
【００６４】
さらに、第１実施形態では、挟持部位ＰＨ１を設けた部材を、着脱可能な交換部品としている球送り装置６０としており、既存のパチンコ遊技機において、交換して、挟持部位ＰＨ１を設けた部品（球送り装置）６０を取り付けることができて、容易に、連結材Ｓを付けた遊技球Ｂによる不正行為対策を図ることができる。
【００６５】
なお、第１実施形態では、挟持部位ＰＨ１を構成する溝部９６の内、上二つの溝部９６Ａ，９６Ｂが、副溝部９９を下部側の案内面９８ｂに連なって形成しただけとしたが、溝部９６Ｃと同様に、上部側の案内面９８ａに連なって、上方に延びる副溝部９９を設け、溝部９６Ａ，９６Ｂの底部９７側で、緊張状態で上昇する連結材Ｓを挟持するように、構成してもよい。
【００６６】
さらに、発射装置３０に至るまでの通路に、挟持部位ＰＨ１を設ける場合には、遊技球Ｂの曲がった通路ＬＲにおける内側の通路面ＩＦ側に設ければよく、例えば、図１５〜１７に示すように、球送り装置６０の流下口８２の下縁８８側や左縁８９側に設けてもよい。下縁８８側は、遊技球Ｂが流下口８２から発射レール３５上に落下することから、遊技球Ｂの下方に曲がった通路ＬＲの内側の通路面ＩＦ側となる。また、左縁８９側は、発射レール３５上の遊技球Ｂが発射されれば、流下口８２から左斜め上方に曲がった通路ＬＲにおける内側の通路面ＩＦとなる。
【００６７】
なお、流下口８２の下縁８８側や左縁８９側に設けた挟持部位ＰＨ１は、第１実施形態と同様に、挟持用部品９０のコーナ部９４に設けた三つの溝部９６と弾性体１０４とを設けて、それぞれ、案内部９８と、一対の圧接部１０１，１０２を有した挟持本体部１００と、を設けた構造と同様である。但し、下縁８８側の挟持部位ＰＨ１は、三つの溝部９６の全てに、左方に凹むように副溝部９９を設け、また、左縁８９側の挟持部位ＰＨ１は、三つの溝部９６の全てに、上方に凹むように、副溝部９９を設けている。すなわち、実施形態では、発射装置３０から発射される遊技球Ｂが、斜め上左方向に向いて、打ち出されることから、連結材Ｓも、流下口８２から斜め上左方向に向いて引っ張られ、その際、連結材Ｓが、下縁８８側では、左側の副溝部９９における圧接部１０１，１０２間に進入し易くなり、また、左縁８９側では、上側の副溝部９９における圧接部１０１，１０２間に進入し易くなるからである。
【００６８】
そして、これらの流下口８２の下縁８８側や左縁８９側に設けた挟持部位ＰＨ１でも、連結材Ｓを付けた状態で遊技球Ｂがレール部８側に発射されれば、連結材Ｓが、何れかの溝部９６内に進入して、案内部９８に案内され、挟持部位ＰＨ１の圧接部１０１，１０２間に進入して、圧接部１０１，１０２間で挟持されることから、容易に、移動を停止されて、簡便な構成で、遊技球Ｂの操作を不能にでき、不正行為を防止できる。
【００６９】
＜第２実施形態＞
つぎに、第２実施形態の挟持部位ＰＨ２を説明すると、図５，１８〜２３に示すように、遊技領域１２側に打ち出された遊技球Ｂのレール部８への戻りを防止可能な戻り防止片１２０に、挟持部位ＰＨ２が配設されている。このような戻り防止片１２０は、外側レール部９と内側レール部１０とを備えて構成されるレール部８の内側レール部１０の上端１０ａ側に、配設されている。そして、この戻り防止片１２０の配置箇所では、レール部８の内側レール部１０の上端１０ａから遊技領域１２側に向かって下方に反転するように、遊技球Ｂが通過することから、戻リ防止片１２０は、遊技球Ｂの曲がった通路ＬＲにおける内側の通路面ＩＦ側に、配置されていることとなる。
【００７０】
この戻り防止片１２０は、第２実施形態の場合、内側レール部１０の上端１０ａに嵌合させて取着される取付基部１１０に、揺動可能に、保持されている。取付基部１１０は、内側レール部１０の上端１０ａに嵌合される四角筒形状の結合筒部１１１と、結合筒部１１１から上方に延びて戻り防止片１２０を保持する保持枠部１１２と、を備えて構成されている。保持枠部１１２は、前後で対向する支持壁部１１４，１１４と、支持壁部１１４，１１４相互を遊技領域１２側で連結する連結壁部１１３と、を備えて構成されている。支持壁部１１４，１１４には、相互の対向面に、前後方向に沿って配設される支持ピン１１５を支持する軸支部１１４ａが形成され、軸支部１１４ａに支持された支持ピン１１５は、戻り防止片１２０の軸部１２２に挿通されている。
【００７１】
戻り防止片１２０は、上下方向の中間付近に、支持ピン１１５を挿通させる軸部１２２を配設させ、軸部１２２の左方側において、上方側に略長方形板状の逆止片部１２３を配設させ、下方側に錘部１２１を配設させて構成されている。錘部１２１は、逆止片部１２３を上下方向に沿って配置させた際、取付基部１１０の連結壁部１１３に当接されて、逆止片部１２３のレール部８側への回転（図２３の反時計方向回り）、を規制している。
【００７２】
そして、戻り防止片１２０の逆止片部１２３の上縁１２３ａ側には、レール部８から遊技領域１２側に向かう方向に貫通するように、挟持部位ＰＨ２を構成する溝部１２４が形成されている。
【００７３】
溝部１２４は、底部１２５から離れた開口端となる上縁側に配置されて、緊張状態の連結材Ｓの進入時に、連結材Ｓを底部１２５側に案内可能に、底部１２５側にかけて前後方向に沿った開口幅を狭める案内部１２７と、底部１２５側に配置されて、緊張状態の連結材Ｓの進入時に、連結材Ｓを挟持可能な挟持本体部１３０と、を備えて構成されている。挟持本体部１３０は、連結材Ｓの外周面ＳＡにおける略対向する対向部位ＣＰ１，ＣＰ２を圧接する一対の圧接部１３１，１３２を設けて構成されている（図２０参照）。そして、これらの圧接部１３１，１３２が、連結材Ｓの挟持本体部１３０への進入時、付勢力を発揮して連結材Ｓに圧接されるように、構成されている。
【００７４】
第２実施形態では、圧接部１３１，１３２が、弾性変形するゴム若しくは合成樹脂からなる弾性体１３４から形成されている。この弾性体１３４は、図２１に示すようなシート材１３７から構成され、中央に、三角形状の切欠き１３８を設け、切欠き１３８を狭めて無くし、さらに、切欠き１３８側の先端相互を、重ねつつ曲げるようにして、それらの曲がった部位相互を圧接部１３１，１３２としている。換言すれば、先端のリップ部１３５ａを遊技領域１２側に曲げた一対の弾性片部１３５相互によって、圧接部１３１，１３２が形成されている。
【００７５】
そして、圧接部１３１，１３２を形成したシート材１３７を、逆止片部１２３の上縁１２３ａに設けた組付孔１２３ｃに組み付けて、圧接部１３１，１３２からなる挟持本体部１３０が、戻り防止片１２０の上縁１２３ａ側に、配設されている。なお、この組付孔１２３ｃは、弾性片部１３５，１３５相互が圧接されるように、弾性片部１３５，１３５の下部側を含めて、弾性体１３４の下部１３４ｂ側を、嵌合させて組み付けることができるように、設定されている。
【００７６】
また、戻り防止片１２０の上縁１２３ａ側には、溝部１２４の上端側の開口１２４ａから進入する連結材Ｓを底部１２５側の挟持本体部１３０に案内する案内部１２７が形成されている。案内部１２７は、底部１２５側にかけて開口１２４ａの前後方向の開口幅を狭めるように、前後方向で対向する案内面１２８，１２９が、底部１２５側にかけて相互に接近している。ちなみに、実施形態の場合、案内面１２８，１２９は、逆止片部１２３における弾性体１３４以外の弾性体１３４より硬い合成樹脂部分の硬質部１２８ａ，１２９ａと、弾性体１３４の上端面１３４ａ側の準硬質部１２８ｂ，１２９ｂと、から構成されている。
【００７７】
なお、実施形態では、逆止片部１２３の上縁１２３ａ側では、案内面１２８，１２９の硬質部１２８ａ，１２９ａを含めて、底部１２５に連なる硬質部分の対向部１２６の対向面１２６ａ相互が、上方へ膨らむような曲面状として、底部１２５側で急激に接近して、底部１２５で連結されている。この対向部１２６の対向面１２６ａ，１２６ａの左右方向の両縁付近が、遊技球Ｂが弾性体１３４の変形を招くような遊技球Ｂの弾性体１３４との接触を防止するカバー部１２３ｄを構成しており、カバー部１２３ｄは、弾性体１３４の上端面１３４ａの配置位置を考慮して、形状が設定されている。
【００７８】
この第２実施形態の戻り防止片１２０では、連結材Ｓを付けた状態で発射された遊技球Ｂが、レール部８を上昇してくれば、図２３のＡ，Ｂに示すように、遊技球Ｂに押されて、軸部１２２を回動中心として、遊技領域１２側へ上縁１２３ａを倒し、そして、遊技球Ｂが上縁１２３ａを越え、下方に流下すれば、図２３のＣに示すように、錘部１２１の重量により、戻る。その際、遊技球Ｂから連結材Ｓが延びていれば、遊技球Ｂの重量や落下運動する遊技球Ｂの慣性力が加わって、連結材Ｓが、緊張状態となって、戻り防止片１２０の上縁１２３ａに引っ掛かる状態となり、溝部１２４の開口１２４ａから、案内部１２７の案内面１２８，１２９を経て、挟持本体部１３０側に移動し、そして、図２０のＡ，Ｂや図２２の説明図、図２３のＤに示すように、圧接部１３１，１３２間に進入する。そして、連結材Ｓが、円滑に、挟持本体部１３０の圧接部１３１，１３２間で挟持されて、移動を停止される。
【００７９】
すなわち、この第２実施形態の挟持部位ＰＨ２では、遊技球Ｂを操作しようと、球受け皿４４側の連結材Ｓの操作把持部を引っ張る前に、連結材Ｓの移動停止を図ることができ、不正行為を防止できる。
【００８０】
勿論、遊技球Ｂが遊技領域１２に打ち出されて落下した直後に、連結材Ｓが強く挟持されなくとも、その後の連結材Ｓの引っ張り操作時には、連結材Ｓが、緊張状態となって、連結材Ｓが、その外周面ＳＡの全周を、挟持本体部１３０の共に弾性変形する圧接部１３１，１３２内に進入させて、強く挟持されることから、その後の連結材Ｓの繰出操作を、不能にできる。
【００８１】
特に、第２実施形態では、一対の圧接部１３１，１３２が、先端のリップ部１３５ａを遊技領域１２側に曲げた弾性変形可能な弾性片部１３５から構成され、かつ、弾性片部１３５，１３５相互が強く圧接されるように、組付孔１２３ｃに嵌合されており、連結材Ｓを球受け皿４４側に引っ張ったり等して、緊張状態の連結材Ｓが、一対の圧接部１３１，１３２間の底部１２５付近まで、深く進入すれば、一層、圧接部１３１，１３２に強く挟持されることとなって、連結材Ｓを安定して移動不能（繰出不能）にできる。
【００８２】
なお、挟持本体部１３０の圧接部１３１，１３２は、遊技領域１２側に曲げられていても、戻り防止片１２０の上縁１２３ａ側で、かつ、案内部１２７における案内面１２８，１２９の交差部位１２７ａに、下向き進入可能な連結材Ｓの進入用入口１３０ａを配置させていることから、逆止片部１２３の上縁１２３ａ側に連結材Ｓが引っ掛かれば、連結材Ｓは、円滑に、進入用入口１３０ａを経て、一対の圧接部１３１，１３２間に進入でき、その後、遊技球Ｂの下方への落下時、あるいは、連結材Ｓの球受け皿４４側への引っ張り時に、さらに、連結材Ｓは、底部１２５付近まで、円滑に進入でき、その結果、挟持本体部１３０の圧接部１３１，１３２は、安定して、連結材Ｓを移動不能にすることができる。
【００８３】
さらに、第２実施形態でも、挟持部位ＰＨ２を設けた部材が、パチンコ遊技機１の交換部品の一つである戻り防止片１２０であり、既存のパチンコ遊技機において、交換して、挟持部位ＰＨ２を設けた部品（戻り防止片）１２０を取り付けることができて、容易に、連結材Ｓを付けた遊技球Ｂによる不正行為対策を図ることができる。
【００８４】
なお、第２実施形態の場合、戻り防止片１２０は、取付基部１１０に揺動可能に支持されて、取付基部１１０と一体的な戻り防止部品１０９として、構成されており、部品交換時には、取付基部１１０と戻り防止片１２０とを一体的に組み付けた戻り防止部品１０９として、交換されることとなる。
【００８５】
また、戻り防止片に挟持部位を設ける場合、遊技領域１２に打ち出される遊技球Ｂから延びる連結材Ｓは、戻り防止片１２０の上縁１２３ａにおける前後方向中央付近に配置されて、下方へ引っ張られる状態となり易いが、連結材Ｓが、遊技盤面６に接近し過ぎて、戻り防止片１２０の上縁１２３ａからずれてしまうことを考慮して、図２４〜２６に示すように、戻り防止片１２０Ａを構成してもよい。
【００８６】
この戻り防止片１２０Ａでは、逆止片部１２３Ａの後縁１２３ｂが、取付基部１１０Ａの後方側の支持壁部１１４Ａを対応させて、遊技盤５に設けた凹部５ａに収納させて、遊技盤面６より後方に埋め込まれるように、配設されている。特に、図例の場合には、溝部１２４の開口１２４ａが、遊技盤面６に進入するように、換言すれば、案内面１２８の硬質部１２８ａの上縁１２８ａｕが、遊技盤面６より後方に位置するように、配設されている。
【００８７】
なお、遊技盤５に設けた凹部５ａは、遊技球Ｂの通過を許容できるように、逆止片部１２３Ａの上縁１２３ａ側の揺動を可能とした状態で、取付基部１１０Ａの後方側の支持壁部１１４Ａと逆止片部１２３Ａとを収納できるように、構成されている。そして、図例の取付基部１１０Ａは、ねじ１１７止め等して、揺動可能に支持する戻り防止片１２０Ａを、内側レール部１０の上端１０ａに連なるように、配設させている。
【００８８】
この戻り防止片１２０Ａでは、遊技盤面６と戻り防止片１２０Ａとの間に、連結材Ｓが嵌ること無く、円滑に、連結材Ｓを、挟持部位ＰＨ２の溝部１２４内に導入させ、そして、案内部１２７を経て、圧接部１３１Ａ，１３２Ａからなる挟持本体部１３０Ａにより、挟持できる。
【００８９】
＜第３実施形態＞
また、レール部に切断部位を設ける場合には、図２７〜３１に示す第３実施形態の挟持部位ＰＨ３のように構成してもよい。
【００９０】
この第３実施形態の挟持部位ＰＨ３は、外側レール部９と内側レール部１０とを備えて構成されるレール部８の内側レール部１０に、配設され、特に、実施形態の場合、内側レール部１０に取り付ける挟持用部品１４０に、設けられている。この内側レール部１０は、遊技領域１２を囲むように、外膨らみの曲線状に形成されており、遊技球Ｂの曲がった通路ＬＲにおける内側の通路面ＩＦ側を構成することとなる。
【００９１】
挟持用部品１４０は、ポリプロピレン等の合成樹脂から形成され、内側レール部１０に取り付けるための取付基部１４１と、半割り円柱状の突条部１４２と、を備えて構成されている。取付基部１４１は、断面コ字形として、内側の嵌合溝１４１ａに、内側レール部１０を嵌めれば、その部位に、取り付け固定されるように、構成されている。
【００９２】
そして、突条部１４２は、外側レール部９側に、開口１４３ａを開けた溝部１４３を配設させて、溝部１４３は、レール部８を通過する遊技球Ｂの移動方向に沿って、底部１４４を配置させている。溝部１４３は、底部１４４から離れた開口端となる外側レール部９側に配置されて、緊張状態の連結材Ｓの進入時に、連結材Ｓを底部１４４側に案内可能に、底部１４４側にかけて前後方向に沿った開口幅を狭める案内部１４６と、底部１４４側に配置されて、緊張状態の連結材Ｓの進入時に、連結材Ｓを挟持可能な挟持本体部１５０と、を備えて構成されている。
【００９３】
挟持本体部１５０も、第２実施形態と同様に、連結材Ｓの外周面ＳＡにおける略対向する対向部位ＣＰ１，ＣＰ２を圧接する一対の圧接部１５１，１５２を設けて構成されている。これらの圧接部１５１，１５２も、ゴム等の弾性体１５４からなるとともに、先端のリップ部１５５ａを上方に曲げられた弾性片部１５５から構成されている。この弾性体１５４も所定のゴム等のシート材から形成されて、圧接部１５１，１５２が相互に離隔し難いように、突条部１４２に設けた組付孔１４２ｂに、嵌合されている。
【００９４】
案内部１４６は、底部１４４側にかけて開口１４３ａの前後方向の開口幅を狭めるように、前後方向で対向する案内面１４７，１４８が、底部１４４側にかけて相互に接近している。これらの案内面１４７，１４８も、第２実施形態度と同様に、突条部１４２における弾性体１５４以外の弾性体１５４より硬い合成樹脂部分の硬質部１４７ａ，１４８ａと、弾性体１５４の先端面１５４ａ側の準硬質部１４７ｂ，１４８ｂと、から構成されている。
【００９５】
また、この第３実施形態においても、突条部１４２の溝部１４３では、案内面１４７，１４８の硬質部１４７ａ，１４８ａを含めて、底部１４４に連なる硬質部分の対向部１４５の対向面１４５ａ相互が、左方側へ膨らむような曲面状として、底部１４４側で急激に接近して、底部１４４で連結されている。この対向部１４５の対向面１４５ａ，１４５ａの上下方向の両縁付近が、遊技球Ｂが弾性体１５４の変形を招くような遊技球Ｂの弾性体１５４との接触を防止するカバー部１４２ｃを構成しており、カバー部１４２ｃは、弾性体１５４の先端面１５４ａの配置位置を考慮して、形状が設定されている。
【００９６】
また、挟持用部品１４０は、内側レール部１０に取り付けられた際、突条部１４２の内側レール部１０からの突出高さＨ０を、発射装置３０から発射されて外側レール部９の内側面９ｂを転動してくる遊技球Ｂが突条部１４２と接触しないように、設定されている。
【００９７】
そして、遊技球Ｂが内側レール部１０の上端１０ａを経て遊技領域１２に打ち出される際、連結材Ｓが、内側レール部１０に接触するように、連結材Ｓが緊張状態となった際、その緊張状態の連結材Ｓを折曲させつつ挟持本体部１５０の底部１４４側付近まで進入できるように、底部１４４の内側レール部１０からの突出高さＨ１が、設定されている。換言すれば、遊技球Ｂがレール部８等の小さな曲率の部位の曲がり通路ＬＲを通過する際には、緊張状態の連結材Ｓが圧接部１５１，１５２間に深く進入できるように、溝部１４３の底部１４４が、設定されている。また、挟持本体部１５０を設けた弾性体１５４の先端面１５４ａ側における底部１４４からの突出状態は、底部１４４や対向部１４５の上下方向の縁からなるカバー部１４２ｃが、レール部８を上昇する遊技球や遊技領域１２に打ち出されずに戻ってくる遊技球Ｂの弾性体１５４との接触を防止できるように、カバー部１４２ｃとの配置状態により、設定されている。
【００９８】
この第３実施形態では、遊技球Ｂが、発射装置３０から発射され、レール部８を経て、遊技領域１２に打ち出されようとすれば、遊技球Ｂに連なる連結材Ｓは、内側レール部１０の外周側の全面に接触するように、牽引されることから、挟持部位ＰＨ３の溝部１４３内に入り込んで、円滑に、案内部１４６の案内面１４７，１４８に案内されて、挟持本体部１５０の圧接部１５１，１５２間に挿入され、圧接部１５１，１５２に挟持されて、連結材Ｓの移動が停止される。
【００９９】
その際、発射時の連結材Ｓの繰出の勢いが強い時、あるいは、その後の球受け皿４４側への連結材Ｓの引張り時等において、連結材Ｓが緊張状態であれば、連結材Ｓが一対の圧接部１５１，１５２間で底部１４４側に深く進入して、強く挟持されることから、その後の繰出時等の連結材Ｓの移動を停止させることができて、不正行為を防止できる。
【０１００】
そして、この第３実施形態の挟持部位ＰＨ３でも、緊張状態の連結材Ｓが接触する部位である内側レール部１０に、単に、挟持部位ＰＨ３を設けた挟持用部品１４０を、配設するだけで、容易に、連結材Ｓの移動を停止できて、簡便な構成で、遊技球Ｂの操作を不能にできて、不正行為を防止できる。また、カバー部１４２ｃが、遊技球Ｂの弾性体１５４との直接接触を防止できて、連結材Ｓの挟持性能を低下させることも無い。
【０１０１】
そして、この第３実施形態は、内側レール部１０に単に組み付けるだけで、内側レール部１０に挟持部位ＰＨ３を配設でき、既存のパチンコ遊技機でも、簡単に、不正行為対策を行うことができる。
【０１０２】
なお、第３実施形態の挟持用部品１４０では、内側レール部１０に取り付ける際、断面コ字形の取付基部１４１を利用して、その嵌合溝１４１ａに、内側レール部１０を嵌め込むだけで、簡単に行えるワンタッチのクリップタイプを示したが、他に、ねじ止め等で取り付けるように構成してもよい。
【０１０３】
＜第４実施形態＞
また、挟持部位を内側レール部に設ける場合、図３２〜３５に示す第４実施形態のように、内側レール部１０に、開口１５９を設けて、挟持部位ＰＨ４を備えた挟持用部品１６２を、配設させてもよい。
【０１０４】
この開口１５９は、内側レール部１０の前後方向の中央付近に、内側レール部１０に沿って長く延びる長穴状に貫通されて、形成されている。そして、挟持用部品１６２は、内側レール部１０の内周面１０ｂにおける開口１５９の周縁に、取付基部１７９の取付部１７９ｃを利用して、配設されている。挟持部位ＰＨ４は、ゴム等の二枚のシート材１７７を湾曲させて結合させた弾性体１７４，１７４を、板金製の取付基部１７９に組み付けて、形成されている。
【０１０５】
挟持部位ＰＨ４は、上下方向に沿った溝部１６３を形成するように、二枚のシート材１７７（弾性体１７４）の元部１７７ａを重ねて、取付基部１７９の元部１７９ａに嵌合させ、二枚のシート材１７７の先端１７７ｂ側を相互に離すように開いて、取付基部１７９の元部１７９ａから両側に開いた先端部１７９ｂに固定させている。そのため、この挟持部位ＰＨ４では、元部１７７ａ側から拡開するように湾曲して広がる溝部１６３が形成される。そして、挟持部位ＰＨ４は、取付基部１７９の先端部１７９ｂ側の二つの取付部１７９ｃを開口１５９の両側における内側レール部１０の内周面１０ｂ側に、接着やねじ止め等で、固定して、挟持用部品１６２を内側レール部１０に取り付ければ、溝部１６３の底部１６４を、レール部８を移動する遊技球Ｂの移動方向に沿って、配設させることができる。
【０１０６】
そして、この挟持部位ＰＨ４では、溝部１６３の開口１６３ａの端部側、すなわち、内側レール部１０の開口１５９の周縁から底部１６４側に狭まるように、湾曲する部位が、連結材Ｓを底部１６４側に案内する案内面１６７，１６８を有した案内部１６６、となる。
【０１０７】
また、この挟持部位ＰＨ４では、底部１６４側に、連結材Ｓを挟持する挟持本体部１７０が配設され、挟持本体部１７０は、二枚のシート材１７７の元部１７７ａ側相互を隙間を無くすように密着させて構成した圧接部１７１，１７２により、形成されることとなる。
【０１０８】
この第４実施形態の挟持部位ＰＨ４では、遊技球Ｂが、発射装置３０から発射され、レール部８を経て、遊技領域１２に打ち出されようとすれば、遊技球Ｂに連なる連結材Ｓは、内側レール部１０の外周側の全面に接触するように、牽引されることから、内側レール部１０の開口１５９を経て、挟持部位ＰＨ４の溝部１６３の開口１６３ａ内に入り込み、案内部１６６の案内面１６７，１６８に案内され、挟持本体部１７０の圧接部１７１，１７２間に進入しようとする。そしてその際、発射時の連結材Ｓの繰出の勢いが強い時、あるいは、その後の球受け皿４４側への連結材Ｓの引張り時等において、連結材Ｓが緊張状態であれば、連結材Ｓが一対の圧接部１７１，１７２間で底部１４４側に深く進入して、強く挟持されることから、その後の繰出時等の連結材Ｓの移動を停止させることができて、不正行為を防止できる。
【０１０９】
そして、この第４実施形態の挟持部位ＰＨ４でも、緊張状態の連結材Ｓが接触する部位である内側レール部１０に、単に、開口１５９を開けて、挟持部位ＰＨ４を配設するだけで、容易に、連結材Ｓの移動を停止でき、簡便な構成で、遊技球Ｂの操作を不能にできて、不正行為を防止できる。また、開口１５９の開口幅を、遊技球Ｂの直径より、ある程度小さくすれば、開口１５９の周縁を、遊技球Ｂの弾性体１７４との接触を防止するカバー部１６０とすることができて、このカバー部１６０により、遊技球Ｂの弾性体１７４との直接接触を防止できて、連結材Ｓの挟持性能を低下させることも無い。
【０１１０】
＜変形例＞
なお、第２〜４実施形態では、挟持本体部１３０，１５０，１７０が、二枚のシート状の弾性片部１３５，１５５，１７５を重ね合わせるようにして、圧接部１３１，１３２，１５１，１５２，１７１，１７２を構成したが、シート状のゴムや合成樹脂からなる弾性体を利用する場合に、図２１のＣに示す変形例の弾性体１３４Ｂに示すように、カッタにより、単に、切れ目１３６を設け、切れ目１３６を間にした部位を、圧接部１３１Ｂ，１３２Ｂとして、連結材Ｓを挟持するように構成してもよい。なお、この弾性体１３４Ｂは、逆止片部１２３や突条部１４２の組付孔１２３ｃ，１４２ｂを、この弾性体１３４Ｂに対応させ、それらの対応させた組付孔１２３ｃ，１４２ｂに、弾性体１３４Ｂを嵌合させれば、第２実施形態や第３実施形態の変形例として、利用できるものであり、その使用時、連結材Ｓは、隙間の無い切れ目１３６を利用した圧接部１３１Ｂ，１３２Ｂによって、挟持されることとなる。
【０１１１】
また、各実施形態では、付勢力を利用する圧接部１０２，１３１，１３２，１５１，１５２，１７１，１７２として、それらの圧接部自体が、ゴムや合成樹脂、あるいは、ばね板から形成される場合を示したが、図３６に示す第４実施絵形態の変形例における挟持用部品１６２Ａの挟持部位ＰＨ４のように、形状保持性を有した合成樹脂や金属材からなる湾曲した圧接部１７１Ａ，１７２Ａを、相互に接近させるように付勢力を発揮するばね１８１により、支持させるように構成してもよい。この挟持部位ＰＨ４では、連結材Ｓが、ばね１８１の付勢力に抗して、圧接部１７１Ａ，１７２Ａ間に進入して、圧接部１７１Ａ，１７２Ａにより挟持され、移動を停止されることとなる。
【０１１２】
さらに、各実施形態の圧接部１０１，１０２，１３１，１３２，１５１，１５２，１７１，１７２の挟持力を、一層、高める場合には、使用される連結材Ｓとの摩擦を高めるように、図３６のように、挟持する面相互に細かい凹凸１７１ａ，１７２ａを付けたり、あるいは、連結材Ｓの滑りを悪くするように、圧接部自体を、ウレタンゴムやシリコンゴム等の粘着性や吸着性を発揮しつつ、連結材Ｓを挟持できるゴム材料から、形成してもよい。勿論、このようなゴム材料は、圧接部の連結材Ｓを挟持する表面（挟持面）に、コーティングさせてもよい。そして、各実施形態の弾性片部１０５，１３５，１５５，１７５のように、隙間を無くして相互に接触し、かつ、その接触面の面積を広くして、圧接部１０２，１３１，１３２，１５１，１５２，１７１，１７２を構成する場合には、凹凸を設けて滑りを防止させたゴム製として、圧接部１０２，１３１，１３２，１５１，１５２，１７１，１７２を形成すれば、好適に、連結材Ｓを滑らせずに挟持でき、一層安定して、連結材Ｓの移摩を停止させることができる。
【０１１３】
また、第２，３実施形態では、圧接部１３１，１３２，１５１，１５２の先端の向き、すなわち、リップ部１３５ａ，１５５ａの向きを、遊技球Ｂの発射時の遊技領域１２に向かう方向に向けて、配置させた場合を示したが、逆方向に向けて配設してもよい。
【０１１４】
さらに、各実施形態では、挟持部位ＰＨ１，ＰＨ２，ＰＨ３、ＰＨ４を、遊技球Ｂが球受け皿４４から発射装置３０に至るまでの部位、あるいは、レール部８の部位に配設した場合を示したが、他に、入賞口における入賞スイッチ（球検知スイッチ）２５の直前部位や、大当り遊技中に右打ちする場合のセンター役物１４の右上部付近等に、挟持部位を配設してもよい。
【符号の説明】
【０１１５】
１…パチンコ遊技機、
６…遊技盤面、
８…レール部、
９…外側レール部、
１０…内側レール部、
１２…遊技領域、
２５…（入賞スイッチ）球検知スイッチ、
３０…発射装置、
４４…球受け皿、
４８…ハンドル、
６０…球送り装置、
９６，９６Ａ，９６Ｂ，９６Ｃ，１２４，１４３，１６３…溝部、
９７，１２５，１４４，１６４…底部、
９８，１２７，１４６，１６６…案内部、
１００，１３０，１５０，１７０…挟持本体部、
１０１，１０１Ａ，１０２，１０２Ａ，１３１，１３２，１５１，１５２，１７１，１７１Ａ，１７２，１７２Ａ…圧接部、
ＬＲ…曲がった通路、
ＩＦ…内側の通路面、
ＰＨ１，ＰＨ２，ＰＨ３，ＰＨ４…挟持部位、
Ｓ…連結材、
ＳＡ…（連結材の）外周面、
Ｂ…遊技球。
【図１】
2012070942.tif 000003
【図２】
2012070942.tif 000004
【図３】
2012070942.tif 000005
【図４】
2012070942.tif 000006
【図５】
2012070942.tif 000007
【図６】
2012070942.tif 000008
【図７】
2012070942.tif 000009
【図８】
2012070942.tif 000010
【図９】
2012070942.tif 000011
【図１０】
2012070942.tif 000012
【図１１】
2012070942.tif 000013
【図１２】
2012070942.tif 000014
【図１３】
2012070942.tif 000015
【図１４】
2012070942.tif 000016
【図１５】
2012070942.tif 000017
【図１６】
2012070942.tif 000018
【図１７】
2012070942.tif 000019
【図１８】
2012070942.tif 000020
【図１９】
2012070942.tif 000021
【図２０】
2012070942.tif 000022
【図２１】
2012070942.tif 000023
【図２２】
2012070942.tif 000024
【図２３】
2012070942.tif 000025
【図２４】
2012070942.tif 000026
【図２５】
2012070942.tif 000027
【図２６】
2012070942.tif 000028
【図２７】
2012070942.tif 000029
【図２８】
2012070942.tif 000030
【図２９】
2012070942.tif 000031
【図３０】
2012070942.tif 000032
【図３１】
2012070942.tif 000033
【図３２】
2012070942.tif 000034
【図３３】
2012070942.tif 000035
【図３４】
2012070942.tif 000036
【図３５】
2012070942.tif 000037
【図３６】
2012070942.tif 000038